(57)【要約】【課題】  液晶表示装置およびプロジェクタにおいて、配向膜の耐光性と、配向性とを向上させて、安定した表示特性を得る。【解決手段】  第１の基板と第２の基板とから成る一対の基板と、前記一対の基板上に配置される一対の配向膜と、前記一対の配向膜で狭持される液晶層とを有する液晶表示パネルを備え、前記一対の配向膜が全脂肪族ポリイミドまたは脂肪族ポリイミドを主成分とする材料で構成され、前記一対の基板の中で前記第１の基板を前記液晶表示パネルの表示面側に配置した状態において、前記一つの液晶表示パネルの前記第１の基板上の配向膜のラビング方向から、前記第２の基板上の配向膜のラビング方向までの時計回り方向の交差角の角度が、９０°よりも小さい。【選択図】        図６
2006201267.tif 000002
【特許請求の範囲】
【請求項１】
第１の基板と第２の基板とから成る一対の基板と、
前記一対の基板上に配置される一対の配向膜と、
前記一対の配向膜で狭持される液晶層とを有する液晶表示パネルを備え、
前記一対の配向膜が全脂肪族ポリイミドまたは脂肪族ポリイミドを主成分とする材料で構成され、
前記一対の基板の中で前記第１の基板を前記液晶表示パネルの表示面側に配置した状態において、前記一つの液晶表示パネルの前記第１の基板上の配向膜のラビング方向から、前記第２の基板上の配向膜のラビング方向までの時計回り方向の交差角の角度が、９０°よりも小さいことを特徴とする液晶表示装置。
【請求項２】
前記第１の基板上の配向膜のラビング方向から、前記第２の基板上の配向膜のラビング方向までの時計回り方向の交差角の角度が、８０°以上９０未満であることを特徴とする請求項１に記載の液晶表示装置。
【請求項３】
前記液晶表示パネルは、青用の反射型液晶表示パネルであることを特徴とする請求項１または請求項２に記載の液晶表示装置。
【請求項４】
前記液晶表示パネルの表示面側に配置される位相補正板を有することを特徴とする請求項１ないし請求項３のいずれか１項に記載の液晶表示装置。
【請求項５】
前記位相補正板は、λ／４波長板であることを特徴とする請求項４に記載の液晶表示装置。
【請求項６】
前記第１の基板は、ガラス基板であり、
前記第２の基板は、シリコン基板であることを特徴とする請求項１ないし請求項５のいずれか１項に記載の液晶表示装置。
【請求項７】
複数の画素と、複数の映像線と、複数の走査線とを有する液晶表示パネルを備え、
前記各画素は、アクティブ素子と、前記アクティブ素子の他方の端子に接続される画素電極と、前記画素電極と液晶層を挟んで対向しＶＣＯＭの電圧が印加される対向電極とを有し、
前記複数の映像線は、前記各画素のアクティブ素子の一方の端子に接続される液晶表示装置であって、
リセット信号が有効になったときに、前記全ての走査線に選択電圧を印加し前記全ての画素のアクティブ素子をオンとする手段１と、前記複数の映像線にＶＣＯＭの電圧を印加する手段２とを備えることを特徴とする液晶表示装置。
【請求項８】
前記各画素は、画素電位制御線と、一方の端子が前記画素電極に接続され、他方の端子が前記画素電位制御線に接続される画素容量素子とを有し、
前記リセット信号が有効になったときに、前記全ての画素電位制御線にＬｏｗレベルの電圧を印加する手段３を備えることを特徴とする請求項７に記載の液晶表示装置。
【請求項９】
映像電圧が供給されるビデオ線と、
前記映像線を前記ビデオ線に接続するスイッチング手段とを有し、
前記リセット信号が有効になったときに、前記スイッチング手段をオンとする手段４を備えることを特徴とする請求項７または請求項８に記載の液晶表示装置。
【請求項１０】
前記リセット信号は、液晶表示装置の電源がオフとなるときに有効となることを特徴とする請求項７ないし請求項９のいずれか１項に記載の液晶表示装置。
【請求項１１】
光源と、
前記光源から照射される光を変調する複数の液晶表示装置と、
前記各液晶表示装置により変調された光が投射されるスクリーンとを備えるプロジェクタであって、
前記複数の液晶表示装置の一つは、前述請求項１ないし請求項１０のいずれか１項に記載の液晶表示装置であることを特徴とするプロジェクタ。
【請求項１２】
光源と、
前記光源から照射される光を変調する複数の液晶表示パネルと、
前記各液晶表示パネルにより変調された光が投射されるスクリーンとを備えるプロジェクタであって、
前記複数の液晶表示パネルは、第１の基板と第２の基板とから成る一対の基板と、
前記一対の基板上に配置される一対の配向膜と、
前記一対の配向膜で狭持される液晶層とを有し、
前記複数の液晶表示パネルの中の一つの液晶表示パネルは、前記一対の配向膜が全脂肪族ポリイミドまたは脂肪族ポリイミドを主成分とする材料で構成され、
前記一対の基板の中で前記第１の基板を前記複数の液晶表示パネルの表示面側に配置した状態において、前記第１の基板上の配向膜のラビング方向から前記第２の基板上の配向膜のラビング方向までの時計回り方向の交差角の角度が、前記一つの液晶表示パネルの方が、他の液晶表示パネルよりも小さいことを特徴とするプロジェクタ。
【請求項１３】
前記複数の液晶表示パネルは、赤、緑、青用の３個の液晶表示パネルであって、
前記一つの液晶表示パネルは、青用の液晶表示パネルであることを特徴とする請求項１２に記載のプロジェクタ。
【発明の詳細な説明】
【技術分野】
【０００１】
本発明は、液晶表示装置およびプロジェクタに係り、特に、反射型液晶表示パネルを用いた液晶表示装置およびプロジェクタに関する。
【背景技術】
【０００２】
プロジェクタ用途の液晶表示装置には、直視型のＴＦＴ製品に対して約１万倍程度の強い光が入射される。
ＲＧＢの３板の液晶表示装置を用いるプロジェクタでは、特に、有機材料の光吸収の大きい短波長側の光が照射される青色用の液晶表示装置が、光による配向膜劣化、液晶劣化が生じ易く、長時間の表示では表示品位を損ねる。
そこで、青色用の液晶表示装置において、配向膜の劣化を抑制することが公知である。（下記、特許文献１参照）
この特許文献１では、配向膜劣化を抑制するため、青色用の液晶表示装置の液晶表示パネルに波長３８０〜５００ｎｍにおける吸光度が０．０３以下となる脂肪族ポリアミドと芳香族ポリイミドから成る配向膜を形成し、耐光性は、吸光度の低い脂肪族ポリアミドを用いることで向上させ、配向性を芳香族ポリイミドで確保するために、脂肪族ポリアミド表面に薄く芳香族ポリイミドを形成する積層構造としている。
また、アクティブマトリクス型液晶表示装置では、順次走査線に対して、１水平走査時間アクティブ素子をオンとする走査電圧を供給することによりアクティブ素子をオンとなし、かつ、映像線から、オンとされたアクティブ素子を介して画素電極に映像電圧を供給し、画素電極と対向電極の間の画素容量を所定の電圧に充電し、この充電電圧に基づき、画素の液晶分子の配向方向を変化させて画像を表示する。
アクティブマトリクス型液晶表示装置の電源がオフとなるときには、各電極に印加されていた信号電圧は消滅し、アクティブ素子もオフとなる。
【０００３】
なお、本願発明に関連する先行技術文献としては以下のものがある。
【特許文献１】特開２００１−４２３３４（液晶装置及び投射型表示装置）
【発明の開示】
【発明が解決しようとする課題】
【０００４】
しかしながら、プロジェクタ用途の液晶表示装置には強い光が入射されるため、前述の特許文献１に記載の青色用の液晶表示装置では、時間の経過とともに、脂肪族ポリアミド表面に薄く形成された芳香族ポリイミドが劣化し、配向性が劣化し表示特性を損なわれるという問題点があった。
また、アクティブマトリクス型液晶表示装置の電源がオフとなるときには、各電極に印加されていた信号電圧は消滅し、アクティブ素子もオフとなる。そのため、画素容量に蓄積されている電荷は、放電路が遮断されるため長時間保持される。
この電荷は、自己放電によって次第に減少するが、液晶容量に長時間電荷が保持されていると、液晶表示パネルに残像が残り、表示品質を著しく損なうばかりか、液晶容量に長時間電荷が保持される状態は、液晶に直流電圧を印加状態した状態と等価であるので、最悪の場合、液晶分子の傾きが固定化され、液晶の寿命を縮めることになる。
前述した問題点を解消するために、アクティブマトリクス型液晶表示装置では、液晶表示装置がオフとなるときに、外部の駆動回路により、電源をオフとする順番と時間を厳密に制御するようにしている。  
しかしながら、液晶表示装置がオフとなるときに、外部の駆動回路から、前述した電源をオフとする順番と時間を厳密に制御するのが困難であるという問題点があった。
本発明は、前記従来技術の問題点を解決するためになされたものであり、本発明の目的は、液晶表示装置およびプロジェクタにおいて、配向膜の耐光性と、配向性とを向上させて、安定した表示特性を得ることが可能となる技術を提供することにある。
また、本発明の他の目的は、液晶表示装置およびプロジェクタにおいて、電源をオフとするときに、画素容量に蓄積されている電荷を速やかに放電することが可能となる技術を提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
前述の課題を解決するために、本発明では、液晶プロジェクタの青色用の液晶表示装置の液晶表示パネルを構成する上下基板の両方に、全脂肪族ポリイミドまたは脂肪族ポリイミドを主成分とした配向膜を形成し、そして、芳香族ポリイミドを主成分とする配向膜を形成した赤色用、緑色用の液晶表示パネルに対して、１°〜１０°ツイスト角を拡げる方向に上下基板のラビング処理を行う。
また、本発明では、液晶表示装置の電源がオフとなるときに、リセット信号を有効となし、全ての走査線に選択電圧を印加し全ての画素のアクティブ素子をオンとするとともに、複数の映像線にＶＣＯＭの電圧を印加する。
【発明の効果】
【０００６】
本願において開示される発明のうち代表的なものによって得られる効果を簡単に説明すれば、下記の通りである。
本発明の液晶表示装置およびプロジェクタによれば、配向膜の耐光性と、配向性とを向上させて、安定した表示特性を得ることが可能となる。
本発明の液晶表示装置およびプロジェクタによれば、電源をオフとするときに、液晶容量に蓄積されている電荷を速やかに放電することが可能となる。
【発明を実施するための最良の形態】
【０００７】
以下、図面を参照して本発明の実施例を詳細に説明する。
なお、実施例を説明するための全図において、同一機能を有するものは同一符号を付け、その繰り返しの説明は省略する。
図１は、本発明の実施例である、ＲＧＢ３枚の反射型液晶表示装置を用いたプロジェクタを示すブロック図である。
同図に示すように、ランプ１０より放射される白色光は、ＩＲフィルタ１１、ＵＶフィルタ１２により紫外光、赤外光が取り除かられ、表示に必要な可視光となる。
ＵＶフィルタ１２を通過した可視光は、ダイクロイックミラー１３により、Ｒ，Ｇ，Ｂに色分離され、それぞれの偏光板（１４Ｒ，１４Ｇ，１４Ｂ）、偏光ビームスプリッタ（１５Ｒ，１５Ｇ，１５Ｂ）、位相板（１６Ｒ，１６Ｇ，１６Ｂ）を通過し、反射型液晶表示装置（１７Ｒ，１７Ｇ，１７Ｂ）に入射される。
例えば、ノーマリーホワイト方式の液晶表示装置の白表示の場合には、反射型液晶表示装置（１７Ｒ，１７Ｇ，１７Ｂ）に入射された直線偏光の光は、液晶表示パネルの液晶層を通過することで円偏光となり、反射時に再び液晶層を通過することで、入射偏光角と９０°位相が回転した直線偏光となる。
この反射型液晶表示装置（１７Ｒ，１７Ｇ，１７Ｂ）から出射した直線偏光の光は、偏光ビームスプリッタ（１５Ｒ，１５Ｇ，１５Ｂ）、ハーフミラー１８と通過して色合成され、出射レンズ１９を介して、投射スクリーン２０に投射される。これにより、投射スクリーン２０に拡大映像が表示される。
【０００８】
次に、図２を用いて、本実施例の反射型液晶表示装置の構造について説明する。
図２において、１００は液晶表示パネル、１は第２の基板である駆動回路基板、２は第１の基板である透明基板（例えば、ガラス基板）、３は液晶組成物、４はスペーサである。スペーサ４は、駆動回路基板１と透明基板２との間に一定の間隔であるセルギャップ(cell gap)ｄを形成している。このセルギャップｄに液晶組成物３が挟持されている。
５は反射電極（画素電極）で駆動回路基板１に形成されている。６は対向電極で反射電極５との間で液晶組成物３に電圧を印加する。７、８は配向膜で液晶分子を一定方向に配向させる。
３０はアクティブ素子で反射電極５に階調電圧を供給する。３４はアクティブ素子３０のソース領域、３５はドレイン領域、３６はゲート電極である。
３８は絶縁膜、３１は画素容量を形成する第１の電極で、４０は画素容量を形成する第２の電極である。絶縁膜３８を介し第１の電極３１と第２の電極４０とは容量を形成する。
４１は第１の層間膜、４２は第１の導電膜である。第１の導電膜４２はドレイン領域３５から第２の電極４０とを電気的に接続している。４３は第２の層間膜、４４は第１の遮光膜、４５は第３の層間膜、４６は第２の遮光膜である。第２の層間膜４３と第３の層間膜４５にはスルーホール４２ＣＨが形成され、第１の導電膜４２と第２の遮光膜４６が電気的に接続されている。４７は第４の層間膜、４８は反射電極５を形成する第２の導電膜、４９は導電層である。アクティブ素子３０のドレイン領域３５から第１の導電膜４２、スルーホール４２ＣＨ、第２の遮光膜４６を介して階調電圧は反射電極５に伝えられる。
【０００９】
本実施例の液晶表示装置は反射型であり、大量の光が液晶表示パネル１００に照射される。遮光膜は駆動回路基板の半導体層に光が入射しないよう遮光している。反射型液晶表示装置において、液晶表示パネル１００に照射された光は、透明基板２側（図２中上側）から入射し、液晶組成物３を透過し反射電極５で反射し再度液晶組成物３、透明基板２を透過して液晶表示パネル１００から出射する。
しかしながら、液晶表示パネル１００に照射される光の一部は、反射電極５の隙間から駆動回路基板側に漏れ込む。第１の遮光膜４４と第２の遮光膜４６はアクティブ素子３０に光が入射しないように設けられている。
本実施の形態では、この遮光膜を導電層で形成し、第２の遮光膜４６を反射電極５に電気的に接続し、第１の遮光膜４４に画素電位制御信号を供給することで、遮光膜を画素容量の一部としても機能するようにしている。
また、本実施例では、駆動回路基板１として、不透明なシリコン基板が用いられる。こにより、アクティブ素子３０や配線を反射電極５の下に設けることができ、画素となる反射電極５を広くし、所謂高開口率を実現することができる利点がある。また、液晶表示パネル１００に照射される光による熱を駆動回路基板１の裏面から放熱できるといった利点もある。
【００１０】
本実施例では、Ｒ，Ｇ，Ｂの３枚の液晶表示パネルの中で、青色用の液晶表示パネルの上下基板の両方に、全脂肪族ポリイミドまたは脂肪族ポリイミドを主成分とした配向膜（７，８）を形成し、且つ、ラビング処理において上下基板のラビング角のオフセットにより位相ズレ補正を施す。
なお、赤色用、緑色用の液晶表示パネルの上下基板の両方には、芳香族ポリイミドを主成分とする主成分とした配向膜（７，８）が形成される。
前述したように、プロジェクタ用途の液晶表示装置には、直視型のＴＦＴ製品に対して約１万倍程度の強い光が入射される。従ってパネルの耐光性を考える場合、プロジェクタに装着されるＵＶフィルタの漏れ光ばかりでなく波長４００ｎｍ以上の可視光に対しても十分な配慮が必要である。
Ｒ、Ｇ、Ｂの３板の液晶表示パネルを用いるプロジェクタでは、特に、有機材料の光吸収の大きい短波長側の光が照射される青色用パネルが、光による配向膜劣化、液晶劣化が生じ易く、長時間の表示では表示品位を損ねる。
一般的に、有機物は、短波長側になるに従って吸光度が徐々に増加し、ある一定の波長以下、いわゆる吸収端から吸光度が急激に大きくなる。
同様に、配向膜の可視光帯域の吸光度と吸収端の波長には相関があり、図３に示すように、吸収端の波長を低波長側に改良することでプロジェクタの青パネルに照射される４００〜５００ｎｍ帯域の吸光度も低減できる。
このように、本実施例では、青色用の液晶表示パネルに、前述の吸収端波長が２５０ｎｍ以下にある全脂肪族ポリイミドまたは脂肪族ポリイミドを主成分とした配向膜（７，８）を形成することで、４００〜５００ｎｍ帯域での耐光性劣化を抑え長時間の動作に渡って安定な表示品位を保つことができる。これにより、耐光性に優れた液晶プロジェクタを構成することができる。
【００１１】
しかしながら、全脂肪族ポリイミドまたは脂肪族ポリイミドを主成分とした配向膜（７，８）は、耐光性に優れている反面、配向性、特に、配向規制力が弱く、図５に示すように、上下基板のラビング方向によって制御するツイスト角に対して、実効的なツイスト角（図５のｔｗｉｓｔ）が小さくなる傾向があった。
特に、液晶組成物３のカイラルピッチを一定とした場合、液晶セルのギャップが狭いほど上下基板のツイスト角が狭くなる方向に液晶分子間の張力を受け、実効的なツイスト角が狭くなる。
このような場合、入射偏光角に対して出射偏光角が９０°にならず表示特性、特に、コントラストを損ねる結果を招くことになる。
このような課題を改善するために、本実施例では、図６に示すように、上下基板に形成された配向膜（７，８）のラビング処理の際に、対象なオフセット角（図６のｏｆｆｓｅｔ）を施すことで、図４に示すように、実効的なツイスト角（図４のｔｗｉｓｔ）を理想状態にすることができる。
この結果、入射偏光角と出射偏光角の位相は９０°となり、コントラストを損なうことなく耐光性の改善が可能となる。
なお、図４ないし図６において、矢印付き点線（Ａ）は、透明基板（ガラス基板）２に形成された配向膜８のラビング方向を、また、矢印付き実線（Ｂ）は、駆動回路基板（シリコン基板）１に形成された配向膜７のラビング方向を示す。
本実施例では、図６のｔｗｉｓｔは、９０°であり、また、図６のｏｆｆｓｅｔは、５°である。したがって、本実施例の青色用の液晶表示パネルでは、透明基板２を液晶表示パネルの表示面側（図１の偏光ビームスプリッタ側）に配置した状態において、透明基板２の配向膜８のラビング方向から、駆動回路基板１の配向膜７のラビング方向までの時計回り方向の交差角の角度が、９０°よりも小さく（本実施例では、８０°）なる。
なお、赤、緑用の液晶表示パネルでは、透明基板２を液晶表示パネルの表示面側に配置した状態において、透明基板２の配向膜８ラビング方向から、駆動回路基板）１の配向膜７のラビング方向までの時計回り方向の交差角の角度は９０°とされる。
【００１２】
本実施例では、反射型液晶表示装置（１７Ｒ，１７Ｇ，１７Ｂ）の偏光ビームスプリッタ側に、例えば、λ／４板のような入射偏光の位相を補正する位相板（１６Ｒ，１６Ｇ，１６Ｂ）が配置される。
そして、この位相板（１６Ｒ，１６Ｇ，１６Ｂ）を調整可能な状態にしておき、実効的なツイスト角が、ラビング角のオフセットにより補正できない場合に、位相ズレ補正に対する冗長性をもたせることが可能である。
図７に、ラビング処理の際にラビング角をオフセットさせた場合の制御ツイスト角とコントラストの関係を、位相補正板有り、無しで示す。
ラビング角のオフセットにより、制御ツイスト角を９０°以上にすることで、高いコントラスト値を得ることができる。
また、ラビング角のバラツキ等によるツイスト角の変化は、コントラスト値を著しく低下させることになるが、パネルの前段に位相板（１６Ｒ，１６Ｇ，１６Ｂ）を配置することで、コントラストの低下に対する冗長性が得られる。
この結果、安定な画質を維持し、高いコントラストを有する液晶プロジェクタを実現することができる。
【００１３】
図８は、本発明の実施例の液晶表示装置の駆動回路を示す回路図である。
本実施例の液晶表示装置では、垂直走査回路１３０がゲート線（Ｇ；走査線ともいう）に対して、順番に、１水平走査時間の間選択信号を出力する。
これにより、水平走査ライン毎に、１水平走査時間の間、アクティブ素子（薄膜トランジスタ）３０がオンとなる。
また、水平走査回路１２０は、１水平走査時間の間、順次ドレイン線（Ｄ；映像線ともいう）を選択するためのタイミング信号を出力する。
これにより、ビデオ線（Ｖｉｄｅｏ１〜Ｖｉｄｅｏ８）からの映像電圧が、アクティブ素子（ＴＦＴ）を介して画素電極５に印加され、画素電極５と対向電極６の間の液晶容量（Ｃｌｃ）が所定の電圧に充電される。
この充電電圧に基づき、画素の液晶分子の配向方向を変化させて画像を表示する。
また、内蔵交流化走査回路１３５は、画素容量（Ｃｓｔ）の一端に印加する電圧を制御して、画素電極５に負極性（あるいは、正極性）の電圧を印加するために使用される。
また、ゲートオフ補助回路１３５のｐ型のＭＯＳトランジスタ（ＰＭｇ）は、制御信号（ＣＮＴ１，ＣＮＴ２）が共にＬｏｗレベル（以下、Ｌレベル）のときにオンとなり、ゲート線ＧにＶＢＢの高電位を印加する。
【００１４】
本実施例では、水平走査回路１２０の出力にＮＡＮＤ回路（ＮＡＮＤａ）が接続され、そのＮＡＮＤ回路（ＮＡＮＤａ）にリセット信号（ＲＳＴ）が入力される。ＮＡＮＤ回路（ＮＡＮＤａ）の出力はインバータを介して、レベルシフト回路（ＬＳ１）に入力される。
また、垂直走査回路１３０の出力にＮＡＮＤ回路（ＮＡＮＤｂ）が接続され、そのＮＡＮＤ回路（ＮＡＮＤｂ）にリセット信号（ＲＳＴ）が入力される。ＮＡＮＤ（ＮＡＮＤｂ）の出力はインバータを介して、レベルシフト回路（ＬＳ２）に入力される。
さらに、ドレイン線（Ｄ）の他端に、ｐ型のＭＯＳトランジスタ（ＰＭｄ）が接続され、ソース側にＶＣＯＭの電圧（対向電極６に印加される電圧）が印加される。
また、内蔵交流化走査回路１５０の出力にＮＡＮＤ回路（ＮＡＮＤｃ）が接続され、そのＮＡＮＤ回路（ＮＡＮＤｃ）にリセット信号（ＲＳＴ）が入力される。ＮＡＮＤ回路（ＮＡＮＤｃ）の出力は、レベルシフト回路（ＬＳ３）に入力される。
リセット信号（ＲＳＴ）は、液晶表示装置がオフとなるときにＬｏｗ（以下、Ｌレベル）にされる。
なお、図９に、従来の液晶表示装置の液晶表示装置の駆動回路を示す。
図９、図８から分かるように、本実施例の液晶表示装置は、図８に示すＡ〜Ｃの回路が追加されている点で、従来の液晶表示装置と相違する。
【００１５】
以下、本実施例の液晶表示装置の電源がオフとなるときの動作について説明する。
リセット信号（ＲＳＴ）がＬレベルになると、ＮＡＮＤ回路（ＮＡＮＤｃ）からＨｉｇｈレベル（以下、Ｈレベル）が出力され、レベルシフト回路（ＬＳ３）からＨレベルが出力される。そして、レベルシフト回路（ＬＳ４）により、画素電位制御線（Ｃｓｔｔ）の電圧が、Ｌレベルとなる。なお、レベルシフト回路（ＬＳ４）の高電位側の電圧はＶＰＰとされる。
同様に、リセット信号（ＲＳＴ）がＬレベルになると、ＮＡＮＤ回路（ＮＡＮＤｂ）からＨレベルが出力され、レベルシフト回路（ＬＳ２）には、Ｌレベルが入力される。そして、レベルシフト回路（ＬＳ２）からＨレベルが出力され、インバータでＬレベルとなり、アクティブ素子３０がオンし、ドレイン線（Ｄ）と画素電極５とが導通する。
同様に、リセット信号（ＲＳＴ）がＬレベルになると、ＮＡＮＤ回路（ＮＡＮＤａ）からＨレベルが出力され、レベルシフト回路（ＬＳ１）には、Ｌレベルが入力される。そして、レベルシフト回路（ＬＳ１）から、アナログスイッチ（ＳＷＴ）のＰＭＯＳ側にはＬレベルが、ＮＭＯＳ側にはＨレベルが出力されて、アナログスイッチ（ＳＷＴ）がオンとなり、ドレイン線（Ｄ）とビデオ線（Ｖｉｄｅｏ１〜Ｖｉｄｅｏ８）が導通する。
同様に、リセット信号（ＲＳＴ）がＬレベルになると、ドレイン線（Ｄ）におけるアナログスイッチ（ＳＷＴ）と逆側のＰ型ＭＯＳトランジスタ（ＰＭｄ）がオンし、ドレイン線（Ｄ）にＶＣＯＭの電圧が印加され、これにより、画素電極５と対向電極６とが同電位にされる。
【００１６】
以上説明したように、本実施例では、液晶表示装置の電源をオフとするときに、外部の駆動回路にて電源をオフとする順番と時間を制御する厳密な制御が不要となる。
また、液晶表示装置の電源をオフとするときに、画素電極５と対向電極６とが同電位とされ、画素電極５と対向電極６の間の液晶容量（Ｃｌｃ）が完全に放電されるので、液晶組成物３に直流電圧（ＤＣ）が印加され、液晶組成物３が劣化するのを防止することができるとともに、表示部全体を均一に初期のノーマリホワイトの状態に戻すことができる。
また、従来では、液晶表示装置の製作工程中、あるいは、液晶表示装置の保管中に、対向電極と、ビデオ線端子を外部で短絡するたに、短絡ソケットや短絡テープが必要であったが、本実施例は、短絡ソケットや短絡テープが不要となり、手間（工数）と材料費を低減することができる。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１７】
【図１】本発明の実施例である、ＲＧＢ３枚の反射型液晶表示装置を用いたプロジェクタを示すブロック図である。
【図２】本発明の実施例の反射型液晶表示装置の構造を説明するための断面図である。
【図３】配向膜の可視光帯域の吸光度と吸収端の波長を示すグラフである。
【図４】ツイスト角の補正効果を説明するための図である。
【図５】ツイスト角の補正効果を説明するための図である。
【図６】ツイスト角の補正効果を説明するための図である。
【図７】ラビング処理の際にラビング角をオフセットさせた場合の制御ツイスト角とコントラストの関係を、位相補正板有り、無しで示すグラフである。
【図８】本発明の実施例の液晶表示装置の駆動回路を示す回路図である。
【図９】従来の液晶表示装置の駆動回路を示す回路図である。
【符号の説明】
【００１８】
１  駆動回路基板（シリコン）
２  透明基板（ガラス）
３  液晶組成物
４  スペーサ
５  反射電極（画素電極）
６  対向電極
７，８  配向膜
１０  ランプ
１１  ＩＲフィルタ
１２  ＵＶフィルタ
１３  ダイクロイックミラー
１４Ｒ，１４Ｇ，１４Ｂ  偏光板
１５Ｒ，１５Ｇ，１５Ｂ  偏光ビームスプリッタ
１６Ｒ，１６Ｇ，１６Ｂ  位相板
１７Ｒ，１７Ｇ，１７Ｂ  反射型液晶表示装置
１８  ハーフミラー
１９  出射レンズ
２０  投射スクリーン
３０  アクティブ素子
３１  第１の電極
３４  ソース領域
３５  ドレイン領域
３６  ゲート領域
３８  絶縁膜
４０  第２の電極
４１  第１の層間膜
４２  第１の導電膜
４３  第２の層間膜
４４  第１の遮光膜
４５  第３の層間膜
４６  第２の遮光膜
４２ＣＨ  スルーホール
４７  第４の層間膜
４８  第２の導電膜
４９  導電層
１００  液晶表示パネル
１２０  水平駆動回路
１３０  垂直駆動回路
１３５  ゲートオフ補助回路
１５０  内蔵交流化走査回路
Ｄ  ドレイン線（映像線）
Ｇ  ゲート線（走査線）
Ｃｓｔｔ  画素電位制御線
Ｃｌｃ  液晶容量
Ｃｓｔ  画素容量
Ｖｉｄｅｏ１〜Ｖｉｄｅｏ８  ビデオ線
ＬＳ１〜ＬＳ４  レベルシフト回路
ＳＷＴ  アナログスイッチ
ＰＭｄ，ＰＭｇ  ｐ型ＭＯＳトランジスタ
ＮＡＮＤａ，ＮＡＮＤｂ，ＮＡＮＤｃ  ナンド回路
【図１】
2006201267.tif 000003
【図２】
2006201267.tif 000004
【図３】
2006201267.tif 000005
【図４】
2006201267.tif 000006
【図５】
2006201267.tif 000007
【図６】
2006201267.tif 000008
【図７】
2006201267.tif 000009
【図８】
2006201267.tif 000010
【図９】
2006201267.tif 000011